(57)【要約】【課題】  減圧筐体内を減圧して手袋形殻体の連通孔から手袋形殻体内の空気を吸引するとき、手袋が手袋形殻体内で充分膨張して手袋形殻体の全内面に亘って密着する前に、貫通孔と対面する手袋の一部分が連通孔を塞いで、その後そこから空気を吸引することを妨げないようにすることである。【解決手段】  減圧容器内に手袋より大型の手袋形殻体を配置し、該手袋形殻体の手首側外周を前記掌の挿入孔の内周縁に固定し、その手袋形殻体にその内面から外面に通ずる複数の連通孔を穿設すると共に、該手袋形殻体の内面に連通孔と連通する溝を形成する。【選択図】  図１
2005168836.tif 000002
【特許請求の範囲】
【請求項１】
減圧容器に空気の吸引孔と掌の挿入孔を形成し、その減圧容器内に手袋より大型の手袋形殻体を配置し、該手袋形殻体の手首側を前記掌の挿入孔に固定し、その手袋形殻体にその内面から外面に通ずる複数の連通孔を穿設すると共に、該手袋形殻体の内面に前記連通孔と連通する溝を形成することを特徴とする手袋を嵌める装置
【請求項２】
手袋形殻体の内面に形成する溝の両端を夫々手袋形殻体の別の連通孔に連通することを特徴とする請求項１記載の手袋を嵌める装置。
【請求項３】
手袋形殻体が掌側殻体と甲側殻体に２分されていて、その掌側殻体と甲側殻体が夫々２分される減圧容器の上側部分と下側部分に固定されていることを特徴とする請求項１または２記載の手袋を嵌める装置
【請求項４】
手袋形殻体の手首側外周縁を前記掌の挿入孔の外側に突出して、手袋の環状掛止部を形成することを特徴とする請求項１ないし３の何れかに記載の手袋を嵌める装置
【発明の詳細な説明】
【技術分野】
【０００１】
この発明は指先から手首に亘って密着する医療用の薄膜状のゴム手袋を容易に且つ正しく嵌めることのできる装置に関する。
【背景技術】
【０００２】
従来この種の装置として、減圧機構を設けた筐体の上部開口部からその筐体の内部に、手袋の形状に沿ってそれより大きめの袋状に形成されている規制板部を設け、その規制板部に複数の貫通孔を形成する手袋装着装置が知られている（特許文献１）。
【特許文献１】特開平１０−２０２号公報
【０００３】
しかし、この装置は筐体の上部開口部から手袋状の規制板の中に手袋を垂下して、筐体内を減圧するとき、手袋が規制板内で充分膨張して手袋状の規制板の全内面に亘って密着する前に、その手袋の柔軟な性質上貫通孔と対面する手袋の一部分で貫通孔を塞いで、その後そこから空気を吸引することができなくなる為に手袋の充分な膨張を妨げ、その状態では手袋に装着者の手を滑らかに挿入することができず、その結果装着後の手袋内に気泡が形成したり、或いは手袋に皺を生ずるおそれがある。
【発明の開示】
【発明が解決しようとする課題】
【０００４】
この発明の目的は前記従来の装置において筐体内を減圧して規制板の貫通孔から規制板内の空気を吸引するとき、手袋が規制板内で充分膨張して手袋状の規制板の全内面に亘って密着する前に、貫通孔と対面する手袋の一部分が貫通孔を塞いで、その後そこから空気を吸引することを妨げるようなことが生じないようにすることである。
【０００５】
他の目的は規制板の貫通孔から規制板内の空気を吸引するとき、手袋が規制板内で充分膨張して手袋状の規制板の全内面に亘って密着し、その手袋に装着者の手を滑らかに挿入することができ、装着後の手袋内に気泡が形成したり、手袋に皺が発生したりしないようにすることである。
【課題を解決するための手段】
【０００６】
この発明の手袋を嵌める装置は、減圧容器に空気の吸引孔と掌の挿入孔を形成し、その減圧容器内に手袋より大型の手袋形殻体を配置し、該手袋形殻体の手首側外周を前記掌の挿入孔の内周縁に固定し、その手袋形殻体にその内面から外面に通ずる複数の連通孔を穿設すると共に、該手袋形殻体の内面に前記連通孔と連通する溝を形成するものである。
【０００７】
また前記手袋形殻体が掌側殻体と甲側殻体に２分されていて、その掌側殻体と甲側殻体が夫々２分される減圧容器の上側部分と下側部分に固定されていることである。
【０００８】
さらに前記手袋形殻体の手首側外周縁を前記掌の挿入孔の外側に突出して環状折返し部を形成し、該環状折返し部に手袋の手首部を折り返して係合する際、その手袋の指先部尖端と手袋形殻体の先端との間に、前記係合を外す際の摺動用空間を形成することである。
【０００９】
この発明の手袋を嵌める装置は、上述のように減圧容器に空気の吸引孔と掌の挿入孔を形成し、その減圧容器内に手袋より大型の手袋形殻体を配置し、該手袋形殻体の手首側外周を前記掌の挿入孔の内周縁に固定し、その手袋形殻体にその内面から外面に通ずる複数の連通孔を穿設すると共に、該手袋形殻体の内面と連通孔と連通する溝を形成しているので、前記手袋より大型の手袋形殻体内にその形に沿って手袋を配置し、手袋の手首部を手袋形殻体の手首側外周縁の環状掛止部に折り返して係合した状態で、減圧容器内の空気圧を大気圧より減圧し、手袋と手袋形殻体の間の空気を連通孔およびその連通孔に通ずる手袋形殻体内面の溝から吸引して減圧し、手袋内の大気圧で手袋を手袋形殻体の内面に密着するまで膨張するする。
【００１０】
その状態で手袋を嵌めようとする掌を前記手袋の手首側から手袋内に挿入し、その後、減圧容器内の空気圧を大気圧と等しくし、膨張している手袋をその弾力によって収縮して掌に密着して手袋を嵌める。
【００１１】
手袋を嵌めたままの状態で掌の先端即ち指先を手袋形殻体の指部の先端に向けて一旦摺動して、手袋の手首部を手袋形殻体の手首側外周縁の環状掛止部に係合した状態から外し、その後反対方向に向けて摺動し、掌を手袋形殻体の手首側からその外側に抜き出して手袋を嵌める動作を終了する。
【発明の効果】
【００１２】
この発明は手袋形殻体の内面に連通孔と連通する溝を形成しているので、手袋形殻体内の手袋が膨張する過程でその一部分が連通孔を不可避的に塞いても、その連通孔と連通する溝を介して手袋形殻体の内面の空気を減圧容器内に吸引することができ、その手袋を全体に亘って手袋形殻体の内面に密着することができ、そのため手袋を充分膨張して掌をその手袋内に容易に挿入することができる。
【００１３】
減圧容器内に手袋より大型の手袋形殻体を配置しているから、減圧容器内の圧力を大気圧より低下して手袋を手袋形殻体の内面に密着状態に膨張した後、掌の外面に密着するまでの弾性変形量が手袋全体に亘って均一になるので、その手袋を掌の表面全面に亘って均一に密着することができ、手袋を嵌めた際局部的に皺や気泡の発生するおそれがない。
【発明を実施するための最良の形態】
【００１４】
減圧容器１に空気の吸引孔２と掌３の挿入孔４を形成し、その減圧容器１内に手袋６より大型の手袋形殻体５を配置し、該手袋形殻体５の手首側を前記掌３の挿入孔４の内周縁４aに固定し、また手袋形殻体５にその内面５aから外面５bに通ずる複数の連通孔７を穿設すると共に、該手袋形殻体５の内面５aに前記連通孔７と連通する溝８を形成する
【００１５】
この発明の手袋を嵌める装置を使用して手袋を嵌める際は、予め前記手袋６より大型の手袋形殻体５内に、その形即ち５本の指部、掌部、及び手首部の形に対応して手袋６の各部を配置し、手袋６の手首部を手袋形殻体５の手首側周縁の環状掛止部５ｃに、図３で示す如くその内面から外面に沿って折り返して係合し、減圧容器1の吸引孔２から図示を省略している真空ポンプなどで、その減圧容器１内の空気圧を大気圧より減圧し、図4及び図５に示す如く手袋６と手袋形殻体５の間の空気を連通孔７およびその連通孔７に通ずる手袋形殻体５の内面の溝８から吸引して減圧し、同時に手袋６内の大気圧で手袋６をその全面に亘って手袋形殻体５の内面５ａに向って押し付け、その内面５ａに密着するまで膨張するする。
【００１６】
その状態で手袋を嵌めようとする掌３を図１に示すように前記手袋形殻体５の手首側から前記充分に膨張した手袋６内に余裕を持って緩く挿入し、続いて減圧容器１内にその吸引孔２から外気を吸引して、減圧容器１内の空気圧を大気圧と等しくし、膨張している手袋６をその弾力によって収縮して掌３に密着して手袋６を嵌める。
【００１７】
手袋６を嵌めたままの状態で掌３の先端即ち指先を図３に示す如く手袋形殻体５の先端部の摺動用空間５ｄに向けて矢印Ａ６方向に一旦摺動して、手袋６の手首部を手袋形殻体５の手首側の勧請掛止部ｃに係合した状態を解除し、その後反対方向に向けて摺動し、掌３を手袋形殻体５の手首側からその外側に抜き出して手袋６を嵌める動作を終了する。
【００１８】
この発明は上述の通りであるので、減圧容器１内を減圧して手袋形殻体５の連通孔７を通して手袋６の外側と手袋形殻体５の間の空気を筐体１内に吸引する際
、手袋６が手袋形殻体５内で充分膨張して手袋形殻体５の全内面に亘って密着する前に、連通孔７と対面する手袋６の一部分が連通孔７を塞いでも、図４に示すように手袋形殻体５の内面に形成する溝８で手袋６の外側と手袋形殻体５の間の空気を減圧容器１内に吸引することができ、その後そこから空気を吸引することを妨げるようなことが生じない。
【００１９】
そのため手袋６が手袋形殻体５の中で挿入する掌３から均等な空間を隔てて充分膨張して手袋状殻体５の全内面に亘って密着し、その膨張した手袋に装着者の手を滑らかに挿入することができ、減圧容器１内を大気圧にした後膨張した手袋６の弾力で均等に収縮するので、装着後の手袋６と掌３の間に気泡が形成したり、手袋６に皺が発生したりすることを防止できる。
【００２０】
以上この発明を図面に基づいて説明したがこの発明はその図面に記載されたものだけに限定されるものでなく、この発明の特定事項の範囲内で部分的に変更したり或いは付加して実施すること、たとえば手袋形殻体５の内面に形成する溝８の一端を特定の連通孔に接続する代わりに、溝８の両端を図３に示す如く夫々別の連通孔７と連通することも可能である。
【００２１】
また手袋形殻体５を掌側殻体５ａと甲側殻体５ｂで一体的に形成する代わりにその手袋形殻体５を掌側殻体５ａと甲側殻体５ｂに２分して、その掌側殻体５ａと甲側殻体５ｂを２分して夫々減圧容器１の下側部分１ａと上側部分１ｂに固定し、下側部分１ａと上側部分１ｂを図２に示す如く上下に変移する時、手袋形殻体５も掌側殻体５ａと甲側殻体５ｂに２分してその掌側殻体５ａの中に手袋６を配置し、その後下側部分１ａと上側部分１ｂを図１に示す如く上下合わせて手袋形殻体５を形成することも可能である
【００２２】
この発明は上述の通りであるので、この装置を医療の手術室等に設置することにより、各医師が看護士等の手助けを要しないで手袋に皺や気泡発生することなくを素早く正しく嵌めることができ、より高度な医療を行うことができる。
【図面の簡単な説明】
【００２３】
【図１】この発明の実施形態を示す斜面図である。
【図２】図１の装置を上下に２分した状態の斜面図である。
【図３】図１のIII−III線部の拡大断面図である。
【図４】図３の一部分の拡大断面図である。
【図５】図３のV−V線部の拡大断面図である。
【図６】図５の部分に於ける他の状態の断面図である。
【符号の説明】
【００２４】
１・・・減圧容器
２・・・吸引孔
３・・・掌
４・・・挿入孔
５・・・手袋形殻体
６・・・手袋
７・・・連通孔
８・・・溝
【図１】
2005168836.tif 000003
【図２】
2005168836.tif 000004
【図３】
2005168836.tif 000005
【図４】
2005168836.tif 000006
【図５】
2005168836.tif 000007
【図６】
2005168836.tif 000008